(57)【特許請求の範囲】
【請求項１】
内部に送風手段と、送風空気を取り込む吸込口と、前記送風手段からの送風空気を吹き出す吹出しノズルを設けた本体と、水受けから成り、洗面台のカウンター上に設置する手乾燥装置において、本体を固定する固定板を逆Ｔ字形とし、この固定板の底面に設けた接着部Ａとこの接着部Ａに対応する形で洗面台のカウンター面に設けた接着部Ｂから成る接着手段を設けた手乾燥装置。
【発明の詳細な説明】
【０００１】
【発明の属する技術分野】
本発明は、洗面所やトイレ等で手を洗った場合、濡れた手を乾燥させる手乾燥装置に関するものである。
【０００２】
【従来の技術】
従来、この種の手乾燥装置は特開平１０−９９２３５号公報に記載されたものが知られている。
【０００３】
以下、その手乾燥装置について図１８を参照しながら説明する。
【０００４】
図に示すように、壁面に固定された本体１０１は、フロントケース１０２および下部に突設した水受け皿１０３で構成されている。フロントケース１０２内には送風手段１０４、発熱手段１０５および制御手段１０８が設けられており、フロントケース１０２の下端部には、送風吹出ノズル１０６がフロントケース１０２と水受け皿１０３で構成される乾燥空間１０２ａに向けて設置されている。また、水受け皿１０３下部には送風手段１０４の空気吸込み口１１７が配置されるとともに、前面から着脱可能で、水受け皿１０３と連通する連通管１１３を有する水受けカップ１１４が配置されている。この水受けカップ１１４上面には水受けカップカバー１２１が配置され、連通管１１３から漏れ出る乾燥空間１０２ａからの送風による波立ちを防止している。一方、空気吸込み口１１７には着脱可能なフィルター枠１２２が配置されている。
【０００５】
上記構成において、濡れた手を乾燥空間１０２ａに挿入すると制御手段１０８により空気吸込み口１１７からフィルター枠１２２を介して吸気され、送風手段１０４および発熱手段１０５により温風が形成されて、送風吹出ノズル１０６より送風され、手についた水を飛散して乾燥させる。このとき、手から離れた水滴は水受け皿１０３に集まり、連通管１１３から水受けカップ１１４に集められるものであった。
【０００７】
【発明が解決しようとする課題】
このような従来の手乾燥装置では、洗面台の奥行きが深い場合、正面の壁面に固定すると手が届きにくく、取り付け向きも変えられないため使い勝手が悪いという課題があり、洗面台の奥行きが深い場合でも壁にこだわることなく、使い勝手のよい位置や方向を自由に決められることが要求されている。
【００１４】
本発明は、このような従来の課題を解決するものであり、洗面台の奥行きが深い場合でも壁にこだわることなく、使い勝手のよい位置や方向を自由に決めることのできる手乾燥装置を提供することを目的としている。
【００２２】
【課題を解決するための手段】
本発明の手乾燥装置は、上記課題を解決するために、内部に送風手段と、送風空気を取り込む吸込口と、前記送風手段からの送風空気を吹き出す吹出しノズルを設けた本体と、水受けから成り、洗面台のカウンター上に設置する手乾燥装置において、本体を固定する固定板を逆Ｔ字形とし、この固定板の底面に設けた接着部Ａとこの接着部Ａに対応する形で洗面台のカウンター面に設けた接着部Ｂから成る接着手段によって構成したものである。
【００２３】
本発明によれば、洗面台の奥行きが深い場合でも壁にこだわることなく、使い勝手のよい位置や方向を自由に決められる手乾燥装置が得られる。
【００３５】
【発明の実施の形態】
本発明の請求項１に記載の発明は、内部に送風手段と、送風空気を取り込む吸込口と、前記送風手段からの送風空気を吹き出す吹出しノズルを設けた本体と、水受けから成り、洗面台のカウンター上に設置する手乾燥装置において、本体を固定する固定板を逆Ｔ字形とし、この固定板の底面に設けた接着部Ａとこの接着部Ａに対応する形で洗面台のカウンター面に設けた接着部Ｂから成る接着手段を設けたものであり、固定板の底面に設けた接着部Ａとカウンター面に設けた接着部Ｂの接着手段を密着させると、接着部Ａと接着部Ｂが強力に接着され、固定板は洗面台のカウンター面に固定され、この固定された固定板の掛け金具１８に手乾燥装置を引っ掛けて、本体の下部を本体固定ねじ２１でねじ止めすることによりカウンター面の好きな位置に手乾燥装置を固定できるという作用を有する。
【００４１】
【実施例】
以下、本発明の実施例について図面を参照しながら説明する。
【００４２】
（参考例１）
図１〜図５に示すように、手乾燥装置１は本体２と水受け９により構成されており、この本体２内部には送風空気を発生させる送風手段４と、この送風手段４と連通し送風空気を吹き出す吹出しノズル５と、電装部品を制御する制御手段７を設け、これらは外郭ケース３にて覆われている。また、本体２下部には送風空気を本体２内部に取り込む吸込口６と、手挿入部１７に差し出された手を赤外線により検知する手検知センサー８と、水受け９を固定する雌ねじ部１５を設け、裏面には本体２を引っ掛けて固定する係り金具１９とコード収納部２０を設けている。
【００４３】
また、水受け９は本体２に接続されており、上部に設けた水受け固定ねじ１６により本体２から着脱自在とし、下部には手から離散し水受け９によって集められた水滴を溜める水受けカップ１０を設けている。
【００４４】
一方、この手乾燥装置１が取り付けられた略Ｌ字形状の固定板１１Ａは、裏面に設けた接着部Ａ１２Ａと、この接着部Ａ１２Ａに対応する形で壁面に設けた接着部Ｂ１３Ａからなる接着手段１４Ａを設け、この固定板１１Ａの底面を洗面台２６のカウンター２９面に接面した状態で接着手段１４Ａにて壁面に固定されており、また、この固定された固定板１１Ａの垂直面には掛け金具１８と本体固定ナット２２が設けられている。
【００４５】
上記構成により、水受け９の手挿入部１７に手が挿入されると、赤外線による手検知センサー８が手の存在を検知して、制御手段７を介して送風手段４を動作し、吸込口６より吸い込まれた送風空気は口を絞った吹出しノズル５により高速風を手挿入部１７に送出する。送出された高速風は手の表面に当たり、付着した水滴を離散しつつ乾燥させる。この離散した水滴は水受け９によって受け止められ、水受けカップ１０に集められ溜められる。
【００４６】
また、水受け９を外して丸洗いしたい場合は水受け固定ねじ１６を緩めることによりはずすことができる。
【００４７】
このような手乾燥装置１を洗面器２７や水栓２８を備えた洗面台２６のカウンター２９上部壁面に取り付ける場合、まず、略Ｌ字形状の固定板１１Ａの底面を洗面台２７のカウンター２９面に接面した状態で固定板１１Ａの接着部Ａ１２Ａと対応するように壁面に接着部Ｂ１３Ａを固定し、この接着部Ａ１２Ａと接着部Ｂ１３Ａを合わせることにより壁面に固定板１１Ａを固定する。その後、▲１▼のように手乾燥装置１の本体２裏面の係り金具１９を固定板１１Ａの掛け金具１８に引っ掛け、コンセント２５までの電源コード２４の長さを決め、余った電源コード２４をコード収納部２０に納めたのち、▲２▼のように本体２下部を本体固定ねじ２１で固定板１１Ａの本体固定ナット２２に締めこむことにより、電源コード２４の弛みのない状態で本体２を固定板１１Ａに固定することができる。また、▲３▼のように水受け９は固定された本体２の下部に差し込み、▲４▼のように水受け固定ねじ１６を本体２の雌ねじ部１５に締め付けることにより固定する。そして、手乾燥装置１の電源プラグ２３をコンセント２５に差し込むことにより、使用できる状態となる。
【００４８】
なお、接着手段１４Ａについては接着剤や両面テープなどが考えられる。
【００４９】
（実施例１）
図６〜図８に示すように、洗面台２６の奥行きが深く正面の壁に固定すると手が届きにくい場合は、固定板を支えることができるよう下部を逆Ｔ字形状にした固定板１１Ｂを用いる。固定板１１Ｂは、底面に設けた接着部Ａ１２Ｂと、この接着部Ａ１２Ｂに対応する形で洗面台２６のカウンター２９面に設けた接着部Ｂ１３Ｂからなる接着手段１４Ｂを設け、この接着部Ａ１２Ｂと接着部Ｂ１３Ｂを合わせることによりカウンター２９面に固定する。
【００５０】
その後、参考例１と同じく手乾燥装置１を固定板１１Ｂに取付け、電源プラグ２３をコンセント２５に差し込むことにより、使用できる状態となる。
【００５１】
上記構成により、カウンター２９面に穴をあけることなく固定板１１Ｂを固定することができ、洗面台の奥行きが深い場合でも壁にこだわることなく設置することができる。
【００５２】
（参考例２）
図９に示すように、手乾燥装置１を壁面に固定する場合は、接着手段１４Ａをマジックテープ（登録商標）１４Ａ１とし、固定板１１Ａ裏面の接着部Ａ１２Ａをマジックテープ（登録商標）雌側１２Ａ１、壁面の接着部Ｂ１３Ａをマジックテープ（登録商標）雄側１３Ａ１としている。
【００５３】
上記構成により、固定板１１Ａをマジックテープ雌側１２Ａ１とマジックテープ雄側１３Ａ１が合うように壁面に押し付けると、壁面のマジックテープ雄側１３Ａ１が固定板１１Ａのマジックテープ雌側１２Ａ１に食い付いて固定板１１Ａを壁面に固定することができ、取りはずしたり場所を移動させるときは、固定板１１Ａを手前に強く引っ張れば簡単で奇麗に壁面からはずすことができる。
【００５４】
なお、マジックテープ雄側１３Ａ１とマジックテープ雌側１２Ａ１は取り付け面が逆になっても同じで、また、図１０のように洗面台２６のカウンター２９面に固定する場合、接着手段１４Ｂをマジックテープ１４Ｂ１とし、カウンター２９面と固定板１１Ｂ底面に設けても効果は同じであることは言うまでもない。
【００５５】
さらに、マジックテープ１４Ａ１またはマジックテープ１４Ｂ１がマジックテープのかわりにマグネットであっても効果は同じで、この場合、マジックテープ１４Ａ１またはマジックテープ１４Ｂ１の代わりにマグネットと金属あるいはマグネットとマグネットの組み合わせが考えられる。
【００５６】
（参考例３）
図３および図１１〜図１３に示すように、固定板１１Ａ裏面の接着部Ａ１２Ａを設ける位置の両端に、位置決め穴３０Ａを設けている。
【００５７】
上記構成により、固定板１１Ａの裏面に設けた位置決め穴３０Ａと位置決め穴３０Ａの間に接着部Ａ１２Ａを貼り付けたのち、固定板１１Ａの底面をカウンター２９面に密着させた状態で壁面に押し当て、位置決め穴３０Ａからペンやマジックなどで壁面に貼り付ける接着部Ｂ１３Ａの位置をマーキングし、固定板１１Ａを壁面から一度離してから接着部Ｂ１３Ａを壁面に貼り付ける。そして、位置決め穴３０Ａから壁面の接着部Ｂ１３Ａの位置を確認しながら固定板１１Ａを再度壁面に押し当てる。すると、接着手段１４Ａの接着部Ａ１２Ａと接着部Ｂ１３Ａの位置がピッタリと合った状態で固定板１１Ａが壁面に固定される。
【００５８】
なお、図１２の位置決め穴３０Ａ１のように接着部Ａ１２Ａ周辺を切り欠いても穴の形状が異なるだけで、接着部Ａ１２Ａと接着部Ｂ１３Ｂ両方の位置決めができるには変わりないため効果は同じである。
【００５９】
また、図１３に示すように、接着手段１４Ｂを固定板１１Ｂの底面とカウンター２９面に設けた場合においても、位置決め穴３０Ｂを固定板１１Ｂの底面に設けて位置決め穴３０Ｂからカウンター２９面にマーキングするが、マーキングする面が異なるだけで効果は同じである。
【００６０】
（参考例４）
図１４に示すように、固定板１１Ａの垂直面に穴の中央に引っ掛け凸部３２を設けたコード保持部３１を設けている。
【００６１】
上記構成により、手乾燥装置１の固定板１１Ａに固定された本体２から出た電源コード２４を、コード保持部３１の引っ掛け凸部３２に引っ掛けることにより電源コード２４の弛みをなくし、片手で簡単に保持することができる。この時、コード保持部３１を複数個設け、コンセント２５の位置によって必要なコード保持部３１を使うことにより好きな位置から電源コード２４を出すことができる。
【００６２】
なお、本実施例では、コード保持部３１の引っ掛け凸部３２の位置を左右対称および前後は左右交互としたが、この並びに限定されるものではないということは言うまでもない。
【００６３】
（参考例５）
図１５に示すように、本体２の上面に凹部または水平面の物置き部３３Ａを設け、手乾燥装置１を使用する前に手に持っていた小荷物を一時的に置くことができるようになっている。
【００６４】
上記構成により、手乾燥装置１は両手を摺り合わせて乾燥させるため、手に書類やティッシュ、ハンカチ、鍵などの小荷物を一時的に別の場所に置かなければならないが、本体２上部に凹部または水平面の物置き部３３Ａを設けたのでここに置くことにより、手を乾燥させる間、濡れることがなく、目の前なので忘れることもない。
【００６５】
（参考例６）
図１６および図１７に示すように、本体２の上面に取りはずし可能な灰皿３４を設けている。
【００６６】
上記構成により、タバコを吸いながら手を乾燥させたい場合でも吸いかけのタバコを置くことができ、また灰が落ちそうな時や火を消したい場合でも目の前の灰皿３４で処理することができるため、タバコの吸い殻や灰を水受け９に入れられたり、タバコの火の押し付けによる本体２の損傷を防ぐことができる。また、灰皿３４にタバコの吸い殻がたまれば、灰皿３４を取りはずして吸い殻を捨てて洗うことができる。
【００６８】
【発明の効果】
以上のように本発明によれば、洗面台の奥行きが深い場合でも壁にこだわることなく、使い勝手のよい位置や方向を自由に決めることができるという有利な効果が得られる。
【図面の簡単な説明】
【図１】  本発明の参考例１の手乾燥装置の本体構造と風の流れおよび洗面台のカウンターの壁側への設置状態を示した側断面図
【図２】  同手乾燥装置を洗面台のカウンター面に設置した状態を示す外観斜視図
【図３】  同参考例１の手乾燥装置の固定板を洗面台のカウンターの壁側に設置する位置関係と接着手段の取り付け位置を示し、また、参考例３の固定板の位置決め穴を示す外観斜視図
【図４】  同参考例１の手乾燥装置の固定板の固定方法を示す外観斜視図
【図５】  同手乾燥装置を洗面台のカウンターの壁側に設置した状態を示す外観斜視図
【図６】  本発明の実施例１の手乾燥装置の固定板への固定状態を示す外観後部斜視図
【図７】  同手乾燥装置の固定板を洗面台のカウンター面に固定する方法を示す外観斜視図
【図８】  同手乾燥装置を洗面台のカウンター面に設置した状態を示す外観斜視図
【図９】  同参考例２の手乾燥装置の固定板の接着手段をマジックテープ（登録商標）としたときの取り付け位置を示す外観斜視図
【図１０】  同手乾燥装置の固定板をマジックテープ（登録商標）で洗面台のカウンター面に固定する方法を示す外観斜視図
【図１１】  同参考例３の手乾燥装置の固定板を、洗面台のカウンターの壁側に固定する場合の接着手段を位置決めする方法を示す外観斜視図
【図１２】  同手乾燥装置の固定板を、洗面台のカウンターの壁側に固定する場合の接着手段の他の位置決め方法を示す外観斜視図
【図１３】  同手乾燥装置の固定板を、洗面台のカウンター面に固定する場合の接着手段を位置決めする方法を示す外観斜視図
【図１４】  同参考例４の手乾燥装置の固定板のコード保持部に電源コードを保持させた状態を示す外観斜視図
【図１５】  同参考例５の手乾燥装置の上部に物置き部を設けた状態を示した外観斜視図
【図１６】  同参考例６の手乾燥装置の上部に灰皿を設けた状態を示した外観斜視図
【図１７】  同手乾燥装置の上部に着脱自在に灰皿を設けたことを示す外観斜視図
【図１８】  従来の手乾燥装置の側断面図
【符号の説明】
１        手乾燥装置
２        本体
４        送風手段
５        吹出しノズル
６        吸込口
９        水受け
１１Ａ    固定板
１１Ｂ    固定板
１２Ａ    接着部Ａ
１２Ａ１  マジックテープ（登録商標）雌側
１２Ｂ    接着部Ａ
１２Ｂ１  マジックテープ（登録商標）雌側
１３Ａ    接着部Ｂ
１３Ａ１  マジックテープ（登録商標）雄側
１３Ｂ    接着部Ｂ
１３Ｂ１  マジックテープ（登録商標）雄側
１４Ａ    接着手段
１４Ａ１  マジックテープ（登録商標）
１４Ｂ    接着手段
１４Ｂ１  マジックテープ（登録商標）
２６      洗面台
２９      カウンター
３０Ａ    位置決め穴
３０Ａ１  位置決め穴
３０Ｂ    位置決め穴
３１      コード保持部
３２      引っ掛け凸部
３３Ａ    物置き部
３３Ｂ    物置き部
３４      灰皿
【図１】
0004101456.tif 000002
【図２】
0004101456.tif 000003
【図３】
0004101456.tif 000004
【図４】
0004101456.tif 000005
【図５】
0004101456.tif 000006
【図６】
0004101456.tif 000007
【図７】
0004101456.tif 000008
【図８】
0004101456.tif 000009
【図９】
0004101456.tif 000010
【図１０】
0004101456.tif 000011
【図１１】
0004101456.tif 000012
【図１２】
0004101456.tif 000013
【図１３】
0004101456.tif 000014
【図１４】
0004101456.tif 000015
【図１５】
0004101456.tif 000016
【図１６】
0004101456.tif 000017
【図１７】
0004101456.tif 000018
【図１８】
0004101456.tif 000019